【手続補正書】
【提出日】平成27年4月10日(2015.4.10)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】変更
【補正の内容】
【０００８】
上記課題を解決するため、本発明のコンピューティングシステムは、中央処理装置及びメモリーを含むハードウェアと、基本入出力システム及びオペレーティングシステムを含むソフトウェアとを含み、ユーザーによって要求されるタスクを遂行するための一つ又はそれ以上のプロセスを実行できるコンピューティングシステムにおいて、固有のオペレーションを遂行して固有の出力を提供する実行系オブジェクトの一つ又はそれ以上を指示するポインティング情報を構築して運用する指示系オブジェクトと、実行系オブジェクトの一つ又はそれ以上を、上記ユーザーの要求に対応するために活用する場合の活用基準になる基準情報を構築して運用する情報系オブジェクトと、上記基準情報に基づいて実行されなければならない実行系オブジェクトの中で必要な物を選別し、選別された実行系オブジェクトの実行タイミングに関するシークエンスである実行シークエンスを構築して運用する序列系オブジェクトと、上記選別された実行系オブジェクトの一部又は全てを上記実行シークエンスにより実行させ、その実行の結果産出された上記実行系オブジェクトの出力を上記ユーザー及び上記ユーザーの要求を解釈して選定された相手方で構成された集合から選択された指定受信者に提供する実行制御系オブジェクトとを含む。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
中央処理装置及びメモリーを含むハードウェアと、基本入出力システム及びオペレーティングシステムを含むソフトウェアとを含み、ユーザーによって要求されるタスクを遂行するための一つ又はそれ以上のプロセスを実行できるコンピューティングシステムにおいて、 
固有のオペレーションを遂行して固有の出力を提供する実行系オブジェクトの一つ又はそれ以上を指示するポインティング情報を構築して運用する指示系オブジェクトと、 
実行系オブジェクトの一つ又はそれ以上を、上記ユーザーの要求に対応するために活用する場合の活用基準になる基準情報を構築して運用する情報系オブジェクトと、 
上記基準情報に基づいて実行されなければならない実行系オブジェクトの中で必要な物を選別し、選別された実行系オブジェクトの実行タイミングに関するシークエンスである実行シークエンスを構築して運用する序列系オブジェクトと、 
上記選別された実行系オブジェクトの一部又は全てを上記実行シークエンスにより実行させ、その実行の結果産出された上記実行系オブジェクトの出力を上記ユーザー及び上記ユーザーの要求を解釈して選定された相手方で構成された集合から選択された指定受信者に提供する実行制御系オブジェクトと 
を含むコンピューティングシステム。 
【請求項２】
上記指示系オブジェクトは、 
上記実行系オブジェクトの一部又は全てを指示するポインティング情報を構築して運用する実行系オブジェクトポインティングオブジェクトと、 
上記実行系オブジェクトの一部又は全ての実行系インスタンスを指示するポインティング情報を構築して運用する実行系インスタンスポインティングオブジェクトと 
を含む、請求項１記載のコンピューティングシステム。 
【請求項３】
上記情報系オブジェクトによって構築されて運用される基準情報は、 
上記ユーザーによって要求されると予想される一つ又はそれ以上のユーザー要求に対して、各ユーザー要求を充足させることができる業務内容であるタスクを一つ又はそれ以上記録したタスクリストと、 
ユーザー別に多様な属性情報と各属性別の加重値を対応させて記録したユーザープロパティリストと、 
ユーザーから受信された一つ又はそれ以上の命令及びメッセージで構成された集合から選択された一つ又はそれ以上のユーザーコマンドを、ユーザー別に対応させて保存したユーザーコマンド情報とを含み、 
上記情報系オブジェクトは、 
上記タスクリストを構築して運用するタスクリスト運用オブジェクトと、 
上記ユーザープロパティリストを構築して運用するユーザープロパティ運用オブジェクトと、 
上記ユーザーからユーザーコマンド情報が受信されることに対応してユーザーコマンドキューを構築して運用するユーザーコマンド運用オブジェクトと 
を含む、請求項１記載のコンピューティングシステム。 
【請求項４】
上記序列系オブジェクトは、 
上記ユーザーの要求を構成する一つ又はそれ以上の標準要求要素に対して、一つ又はそれ以上の標準要求シソーラスを対応させて保存した標準要求シソーラスデータベースを構築して運用し、上記ユーザーコマンドからその意味単位要素であるコマンド内容要素を抽出し、上記標準要求シソーラスデータベースを参照して抽出されたコマンド内容要素を上記標準要求要素と対応させて分類して上記ユーザーコマンドを解釈するユーザーコマンド解釈オブジェクトと、 
上記標準要求要素のそれぞれに対して、一つ又はそれ以上のユーザー要求シソーラスを対応させて保存したユーザー要求シソーラスデータベースを構築して運用し、上記ユーザー要求シソーラスデータベースを参照して上記抽出されたコマンド内容要素に対応する一つ又はそれ以上のユーザー要求を獲得し、上記解釈されたユーザーコマンドが含有するユーザーの要求を究明するユーザー要求究明オブジェクトと、 
上記情報系オブジェクトによって運用される基準情報を参照して、究明されたユーザー要求を充足させるために遂行されなければならない一つ又はそれ以上のタスクを選別し、選別されたタスクが遂行されるタイミングを規定するタスクシークエンスを構築して運用するタスクシークエンス運用オブジェクトと、 
上記情報系オブジェクトによって運用される基準情報を参照して、上記タスクシークエンス運用オブジェクトによって構築されたタスクシークエンスに属する各タスクに対応する実行系オブジェクトを特定して実行系オブジェクトシークエンスを構築して運用する実行系オブジェクト特定オブジェクトと 
を含む、請求項１記載のコンピューティングシステム。 
【請求項５】
上記序列系オブジェクトは、 
上記情報系オブジェクトによって運用されるユーザープロパティリストを参照して、当該ユーザーの固有属性に適合した要求解釈、タスクの選別、実行系オブジェクトの選別、実行シークエンスの構築及び運用により構成された集合から選択された一つ又はそれ以上のプロセスを遂行するユーザープロパティリファレンシングを遂行する、請求項４記載のコンピューティングシステム。 
【請求項６】
上記序列系オブジェクトは、 
上記ユーザー要求のどれか一つに対応する複数のタスクが存在する場合、上記複数のタスクをツリー形式で羅列して論理的に組合可能なタスクシークエンスを構築するタスク決定ツリーデータベースを構築して運用する決定ツリー運用オブジェクトを更に含む、請求項４記載のコンピューティングシステム。 
【請求項７】
上記実行系オブジェクト特定オブジェクトは、 
上記各タスクの実行に必要な実行系オブジェクトを、上記コンピューティングシステムの内部及び外部保存装置により構成された集合から選択された一つ又はそれ以上の保存空間を検索して特定する、請求項４記載のコンピューティングシステム。 
【請求項８】
上記実行制御系オブジェクトは、 
上記実行系オブジェクトのスペックに関する情報として、入力データの個数と、各入力データのタイプとフォーマットと、出力データの個数と、各出力データのタイプとフォーマットと、各遂行オペレーションの実行情報により構成された集合から選択された一つ又はそれ以上の情報を含む実行系オブジェクトスペックデータベースを構築して運用する実行系オブジェクトスペック運用オブジェクトと、 
上記実行系オブジェクトスペックデータベースを参照して上記ユーザーコマンドから抽出された情報及び上記実行系オブジェクトの出力により構成された集合から選択された一つ又はそれ以上の情報を、他の実行系オブジェクトの実行に適合した個数、タイプ及びフォーマットにより構成された集合から選択された一つ又はそれ以上の規格により変換する入出力変換オブジェクトと、 
上記実行系オブジェクトのそれぞれを上記実行シークエンスによって実行させるために、上記実行系オブジェクトスペックデータベースを参照して実行させなければならない実行系オブジェクトが含む固有オペレーションの個数と、上記オペレーションのそれぞれを実行させる実行コマンドに関する情報を抽出し、抽出された情報に基づいて当該実行系オブジェクトに適合した制御情報を生成し、生成された制御情報を当該実行系オブジェクトに提供して当該実行系オブジェクトの固有オペレーションが実行されるように制御する実行系オブジェクト実行オブジェクトと 
を含む、請求項１記載のコンピューティングシステム。 
【請求項９】
上記実行制御系オブジェクトは、 
上記実行系オブジェクトの相互間に関する相互対応情報のデータベースを構築して運用する実行系オブジェクト間連係オブジェクトを更に含む、請求項８記載のコンピューティングシステム。 
【請求項１０】
上記実行制御系オブジェクトは、 
上記実行シークエンスによる一つ又はそれ以上の実行系オブジェクトの固有オペレーションの実行が完了した場合、各固有オペレーションによって産出された出力を組み合わせて上記指定受信者に提供する出力提供オブジェクトを更に含む、請求項８記載のコンピューティングシステム。 
【請求項１１】
上記実行制御系オブジェクトは、 
上記選別された実行系オブジェクトの一部又は全部の個別化されたインスタンスを上記実行シークエンスによって実行させ、その実行の結果を上記指定受信者に提供する、請求項１記載のコンピューティングシステム。 
【請求項１２】
中央処理装置及びメモリーを含むハードウェアと基本入出力システム及びオペレーティングシステムを含むソフトウェアを含み、ユーザーによって要求されるタスクを遂行するための一つ又はそれ以上のプロセスを実行できるコンピューティングシステムの実行制御方法において、 
固有のオペレーションを遂行して固有の出力を提供する実行系オブジェクトの一つ又はそれ以上を上記ユーザーの要求に対応するために活用する場合の活用基準になる基準情報を構築して運用する情報登録プロセスと、 
上記実行系オブジェクトの一つ又はそれ以上を指示するポインティング情報を構築して運用する指示系オブジェクト運用プロセスと、 
上記基準情報に基づいて実行されなければならない実行系オブジェクトの中で必要な物を選別し、選別された実行系オブジェクトの実行タイミングに関するシークエンスである実行シークエンスを構築して運用するタスクシークエンス運用プロセスと、 
上記選別された実行系オブジェクトの一部又は全てを上記実行シークエンスにより実行させ、その実行の結果産出された上記実行系オブジェクトの出力を上記ユーザー及び上記ユーザーの要求を解釈して選定された相手方で構成された集合から選択された指定受信者に提供するタスク実行プロセスと 
を含むコンピューティングシステムの実行制御方法。 
【請求項１３】
中央処理装置及びメモリーを含むハードウェアと基本入出力システム及びオペレーティングシステムを含むソフトウェアを含み、ユーザーによって要求されるタスクを遂行するための一つ又はそれ以上のプロセスを実行できるコンピューティングシステムに、
固有のオペレーションを遂行して固有の出力を提供する実行系オブジェクトの一つ又はそれ以上を上記ユーザーの要求に対応するために活用する場合の活用基準になる基準情報を構築して運用する情報登録プロセスと、
上記実行系オブジェクトの一つ又はそれ以上を指示するポインティング情報を構築して運用する指示系オブジェクト運用プロセスと、
上記基準情報に基づいて実行されなければならない実行系オブジェクトの中で必要な物を選別し、選別された実行系オブジェクトの実行タイミングに関するシークエンスである実行シークエンスを構築して運用するタスクシークエンス運用プロセスと、
上記選別された実行系オブジェクトの一部又は全てを上記実行シークエンスにより実行させ、その実行の結果産出された上記実行系オブジェクトの出力を上記ユーザー及び上記ユーザーの要求を解釈して選定された相手方で構成された集合から選択された指定受信者に提供するタスク実行プロセスと、
を実行させるための実行制御プログラム。